【手続補正書】
【提出日】平成25年11月18日(2013.11.18)
【手続補正１】
【補正対象書類名】特許請求の範囲
【補正対象項目名】全文
【補正方法】変更
【補正の内容】
【特許請求の範囲】
【請求項１】
送信方法であって、
所定の誤り訂正ブロック符号化方式を用いて符号化ブロックを生成する符号化処理と、
複数のスロットのスロット毎に前記符号化ブロックから生成された第１の変調信号ｓ１と第２の変調信号ｓ２とに対してプリコーディング処理を施して第１の送信信号ｚ１と第２の送信信号ｚ２とを生成する生成処理と、
前記第１の送信信号ｚ１と前記第２の送信信号ｚ２を、それぞれ第１のアンテナ及び第２のアンテナから同一の周波数で同時に送信する送信処理と、
を含み、
前記生成処理は、
複数の変調信号に対して施すプリコーディング処理を規定するＮ個の行列Ｆ［ｉ］（ただし、ｉは０以上Ｎ−１の整数であり、Ｎは３以上の整数である。）の中から一つの行列をスロット毎に切り替えて選択し、
第１の変調信号ｓ１と前記第２の変調信号ｓ２とに対して、前記選択された行列Ｆ[ｉ]に応じたプリコーディング処理を施して前記信号ｚ１と前記信号ｚ２とを生成することを含み、
前記第１の送信信号ｚ１及び前記第２の送信信号ｚ２は、（ｚ１、ｚ２）T＝Ｆ［ｉ］（ｓ１、ｓ２）Tを満たし、
前記Ｎ個の行列Ｆ［ｉ］は、
【数１】
2012109919.tif 000001
を満たし（ただし、λは任意の角度、αは１を除く正の実数である。）、
θ11（ｉ）及びθ21（ｉ）は、
【数２】
2012109919.tif 000002
を満たし、
１つの前記符号化ブロックに対する前記生成処理においては、前記Ｎ個の行列Ｆ[ｉ]各々は、同じ回数選択される
ことを特徴とする送信方法。
【請求項２】
前記行列Ｆ[ｉ]において、θ11（ｉ）及びθ21（ｉ）は、更に、
【数３】
2012109919.tif 000003
または、
【数４】
2012109919.tif 000004
を満たすことを特徴とする請求項１記載の送信方法。
【請求項３】
送信装置であって、
所定の誤り訂正ブロック符号化方式を用いて符号化ブロックを生成する符号化部と、
複数のスロットのスロット毎に前記符号化ブロックから生成された第１の変調信号ｓ１と第２の変調信号ｓ２とに対してプリコーディング処理を施して第１の送信信号ｚ１と第２の送信信号ｚ２とを生成する生成部と、
前記第１の送信信号ｚ１と前記第２の送信信号ｚ２を、それぞれ第１のアンテナ及び第２のアンテナから同一の周波数で同時に送信する送信部と、
を含み、
前記生成部は、
複数の変調信号に対して施すプリコーディング処理を規定するＮ個の行列Ｆ［ｉ］（ただし、ｉは０以上Ｎ−１の整数であり、Ｎは３以上の整数である。）の中から一つの行列をスロット毎に切り替えて選択し、
第１の変調信号ｓ１と前記第２の変調信号ｓ２とに対して、前記選択された行列Ｆ[ｉ]に応じたプリコーディング処理を施して前記信号ｚ１と前記信号ｚ２とを生成し、
前記第１の送信信号ｚ１及び前記第２の送信信号ｚ２は、（ｚ１、ｚ２）T＝Ｆ［ｉ］（ｓ１、ｓ２）Tを満たし、
前記Ｎ個の行列Ｆ［ｉ］は、
【数５】
2012109919.tif 000005
を満たし（ただし、λは任意の角度、αは１を除く正の実数である。）、
θ11（ｉ）及びθ21（ｉ）は、
【数６】
2012109919.tif 000006
を満たし、
１つの前記符号化ブロックに対する前記生成処理においては、前記Ｎ個の行列Ｆ[ｉ]各々は、同じ回数選択される
ことを特徴とする送信装置。
【請求項４】
前記行列Ｆ[ｉ]において、θ11（ｉ）及びθ21（ｉ）は、更に、
【数７】
2012109919.tif 000007
または、
【数８】
2012109919.tif 000008
を満たすことを特徴とする請求項３記載の送信装置。
【請求項５】
受信方法であって、
受信信号を取得し、前記受信信号はそれぞれ同一の周波数で同時に第１のアンテナ及び第２のアンテナから送信された第１の送信信号ｚ１と第２の送信信号ｚ２を受信して得られ、前記第1の送信信号ｚ１及び前記第2の送信信号ｚ２は、所定の誤り訂正ブロック符号化方式を用いて生成された符号化ブロックから生成された第1の変調信号ｓ１と第２の変調信号ｓ２に対して所定の生成処理を施すことにより生成されており、
取得した前記受信信号に対して、前記生成処理に応じた復調処理を施して受信データを生成する、復調処理を含み、
前記生成処理は、
複数の変調信号に対して施すプリコーディング処理を規定するＮ個の行列Ｆ［ｉ］（ただし、ｉは０以上Ｎ−１の整数であり、Ｎは３以上の整数である。）の中から一つの行列をスロット毎に切り替えて選択し、
第１の変調信号ｓ１と前記第２の変調信号ｓ２とに対して、前記選択された行列Ｆ[ｉ]に応じたプリコーディング処理を施して前記信号ｚ１と前記信号ｚ２とを生成することを含み、
前記第１の送信信号ｚ１及び前記第２の送信信号ｚ２は、（ｚ１、ｚ２）T＝Ｆ［ｉ］（ｓ１、ｓ２）Tを満たし、
前記Ｎ個の行列Ｆ［ｉ］は、
【数９】
2012109919.tif 000009
を満たし（ただし、λは任意の角度、αは１を除く正の実数である。）、
θ11（ｉ）及びθ21（ｉ）は、
【数１０】
2012109919.tif 000010
を満たし、
１つの前記符号化ブロックに対する前記生成処理においては、前記Ｎ個の行列Ｆ[ｉ]各々は、同じ回数選択される
ことを特徴とする受信方法。
【請求項６】
前記行列Ｆ[ｉ]において、θ11（ｉ）及びθ21（ｉ）は、更に、
【数１１】
2012109919.tif 000011
または、
【数１２】
2012109919.tif 000012
を満たすことを特徴とする請求項５記載の受信方法。
【請求項７】
受信装置であって、
受信信号を取得する取得部を備え、
前記受信信号はそれぞれ同一の周波数で同時に第１のアンテナ及び第２のアンテナから送信された第１の送信信号ｚ１と第２の送信信号ｚ２を受信して得られ、前記第1の送信信号ｚ１及び前記第2の送信信号ｚ２は、所定の誤り訂正ブロック符号化方式を用いて生成された符号化ブロックから生成された第1の変調信号ｓ１と第２の変調信号ｓ２に対して所定の生成処理を施すことにより生成されており、
更に、取得した前記受信信号に対して、前記生成処理に応じた復調処理を施して受信データを生成する復調部を備え、
前記生成処理は、
複数の変調信号に対して施すプリコーディング処理を規定するＮ個の行列Ｆ［ｉ］（ただし、ｉは０以上Ｎ−１の整数であり、Ｎは３以上の整数である。）の中から一つの行列をスロット毎に切り替えて選択し、
第１の変調信号ｓ１と前記第２の変調信号ｓ２とに対して、前記選択された行列Ｆ[ｉ]に応じたプリコーディング処理を施して前記信号ｚ１と前記信号ｚ２とを生成することを含み、
前記第１の送信信号ｚ１及び前記第２の送信信号ｚ２は、（ｚ１、ｚ２）T＝Ｆ［ｉ］（ｓ１、ｓ２）Tを満たし、
前記Ｎ個の行列Ｆ［ｉ］は、
【数１３】
2012109919.tif 000013
を満たし（ただし、λは任意の角度、αは１を除く正の実数である。）、
θ11（ｉ）及びθ21（ｉ）は、
【数１４】
2012109919.tif 000014
を満たし、
１つの前記符号化ブロックに対する前記生成処理においては、前記Ｎ個の行列Ｆ[ｉ]各々は、同じ回数選択される
ことを特徴とする受信装置。
【請求項８】
前記行列Ｆ[ｉ]において、θ11（ｉ）及びθ21（ｉ）は、更に、
【数１５】
2012109919.tif 000015
または、
【数１６】
2012109919.tif 000016
を満たすことを特徴とする請求項７記載の受信装置。